(57)【要約】【課題】  製造コストを抑えるとともに、取扱いが簡単で、確実に鼻孔内に薬液噴霧できるプレフィルド型点鼻器具を提供する。【解決手段】  シリンジバレルは一方側に噴霧孔とセンターストッパーの係止部を有し、該係止部には薬液の導通部を備え、他端側に内周面よりも内方に突設した突設部が形成され、且つプランジャーは、軸方向の略中央に外周面よりも外方に突設する突設部が形成され、両突設部は係合し、プランジャーをシリンジバレルの噴霧孔方向に移動させてプランジャー側突設部を乗り越え係合を解除する時には、加えられる所定以上の圧力によって、薬液がセンターストッパーを噴霧孔方向に移動させ、センターストッパー係止部に形成された該導通部とセンターストッパーとの間に薬液流入溝が形成されて、薬液貯留部と噴霧孔との間が連通し、薬液が噴霧可能となるように構成されている。
2009057572.tif 000002
【特許請求の範囲】
【請求項１】
一方側に薬液の噴霧孔を備え、他方側に予め薬液を貯留する薬液貯留部を有するシリンジバレルと、
前記シリンジバレルの内周面に摺動自在に挿入され弾性を有するピストンと、
前記ピストンの後端に取付けられ、前記ピストンを前記シリンジバレルの軸方向に移動可能とするプランジャーと、
前記噴霧孔とピストンとの間に位置するよう、前記シリンジバレル内に挿入され、前記シリンジバレルの内周面を摺動自在である弾性を有するセンターストッパーと、
から構成され、
前記センターストッパーと前記ピストンとの間に、予め薬液が液密に貯留されてなるプレフィルド型点鼻器具であって、
前記シリンジバレルには、
前記一方側に形成された噴霧孔と前記センターストッパーとの間にセンターストッパー係止部を有し、前記センターストッパー係止部には前記薬液を導通可能な通路である導通部を１箇所ないし複数箇所に備えるとともに、前記シリンジバレルの他端側には、前記シリンジバレルの内周面よりも内方に突設したシリンジバレル側突設部が形成され、
前記プランジャーには、
前記プランジャーの外周面よりも外方に突設するとともに、その軸方向の略中央にプランジャー側突設部が形成され、
前記シリンジバレル側突設部と前記プランジャー側突設部とは、互いに係合するように構成され、前記プランジャーをシリンジバレルの噴霧孔方向に移動させてプランジャー側突設部が前記シリンジバレル側突設部を乗り越えて互いの係合を解除させる時には、この解除に所定圧力以上の圧力が必要となるように構成されており、
前記プランジャーに所定圧力以上の圧力を加え、前記プランジャーをシリンジバレルの噴霧孔方向に移動させて、前記プランジャー側突設部と前記シリンジバレル側突設部との係合を解除し、
この係合解除時にプランジャーに加えられる圧力によって、前記薬液がセンターストッパーを噴霧孔方向に移動させ、
さらに、前記センターストッパー係止部に形成された導通部上に、前記センターストッパーが乗り上げられ、前記導通部と前記センターストッパーとの間に薬液流入溝が形成されて、薬液貯留部と噴霧孔との間が連通し、
これにより前記薬液流入溝から薬液が噴霧孔方向に流入移動して、前記噴霧孔より噴霧可能となるように構成されていることを特徴とするプレフィルド型点鼻器具。
【請求項２】
前記センターストッパー係止部に形成された導通部が、
少なくともシリンジバレルの軸方向に移動する前記センターストッパーの軸方向厚み幅と同じ範囲かまたはセンターストッパーのシリンジバレルと接触する接触部分の幅以上の範囲に形成されていることを特徴とする請求項１に記載のプレフィルド型点鼻器具。
【請求項３】
前記プランジャーに形成されたプランジャー側突設部が、
前記プランジャーの軸方向の１箇所ないし複数箇所に形成されていることを特徴とする請求項１または２に記載のプレフィルド型点鼻器具。
【請求項４】
前記プランジャーに形成されたプランジャー側突設部が、
前記プランジャーの軸方向の複数個所に形成され、
前記シリンジバレルには、
前記シリンジバレルの内周面よりも内方に突設し、プランジャー側突設部が当接することでプランジャーのシリンジバレルの軸方向への移動を停止させるプランジャーストッパーと、前記プランジャーストッパーと同一内周上にあって、前記プランジャー側突設部が挿通され得る切欠き部と、からなるプランジャーストッパー部が形成されており、
前記プランジャー側突設部と前記プランジャーストッパー部とは、
前記プランジャーをシリンジバレルの噴霧孔方向に移動させてプランジャー側突設部が前記プランジャーストッパーに当接した時に、前記プランジャーを更にシリンジバレルの噴霧方向に移動させるためには、前記プランジャーを所定の角度回転させる必要があるように構成され、これにより複数回に分けて噴霧可能に構成されていることを特徴とする請求項１または２に記載のプレフィルド型点鼻器具。
【請求項５】
前記シリンジバレルの外周面よりも外方に突設するとともに、軸方向の外周略中央に、フランジ状の指掛け部が形成されていることを特徴とする請求項１から４のいずれかに記載のプレフィルド型点鼻器具。
【請求項６】
前記シリンジバレルが、一体成形されていることを特徴とする請求項１から５のいずれかに記載のプレフィルド型点鼻器具。
【請求項７】
前記ピストンに取付けられるプランジャーが、
前記ピストンに対して着脱自在に構成されていることを特徴とする請求項１から６のいずれかに記載のプレフィルド型点鼻器具。
【請求項８】
前記シリンジバレルの材質が、環状オレフィン系樹脂であることを特徴とする請求項１から７のいずれかに記載のプレフィルド型点鼻器具。
【請求項９】
前記ピストンとセンターストッパーの表面に、テトラフルオロエチレンフィルムがラミネートされていることを特徴とする請求項１から８のいずれかに記載のプレフィルド型点鼻器具。
【発明の詳細な説明】
【技術分野】
【０００１】
本発明は医薬・医療用の点鼻器具に関し、詳しくは予め薬液をシリンジバレル内に貯留して成り、必要な時、迅速にこの薬液を鼻孔内に噴霧可能とするプレフィルド型点鼻器具に関する。
【背景技術】
【０００２】
従来より鼻孔内に所定の薬液を点鼻するため、様々な点鼻器具が用いられている。
このような点鼻器具としては、例えば引用文献１に開示されており、図１４に示したように、シリンジバレル１０２とプランジャー１０４との間に薬液１０６を充填し、この点鼻器具１００を鼻孔内へ挿入し、この状態でプランジャー１０４をシリンジバレル１０２の軸方向に移動させることで、シリンジバレル１０２先端に設けられた複数の噴霧孔１０８より鼻孔内へ薬液１０６が噴霧されるようになっている。【０００３】
また特許文献２では、図１５に示したように、シリンジバレル２０２とプランジャー２０４との間に薬液２０６が充填され、シリンジバレル２０２の先端には、薬液２０６の流通孔２１０が形成され、このようなシリンジバレル２０２の先端側に、スカートバルブ２１２を備えるとともに薬液２０６の噴霧孔２０８を有するアダプタ２１４を取付け、さらにシリンジバレル２０２後端とプランジャー２０４後端との間にストッパー２１６が嵌入された点鼻器具２００が開示されている。【０００４】
この点鼻器具２００は、薬液点鼻時のみ、薬液２０６がアダプタ２１４の噴霧孔２０８より外方に噴霧可能とし、ストッパー２１６によってプランジャー２０４の移動距離を制限して、薬液２０６の噴霧量を調整できるようになっている。【０００５】
さらに特許文献３では、図１６に示したように、点鼻器具３００のシリンジバレル３０２先端側に、２つの鼻孔内へ挿入可能とする２本の噴霧ノズル３１８，３２０を備えたアダプタ３１４を取付け、これにより両鼻孔内に一挙に薬液３０６を噴霧可能とした点鼻器具３００が開示されている。【０００６】
一方、このような点鼻器具には、図１７に示したように、使用前に、既にシリンジバレル４０２とプランジャー４０４との間に薬液４０６が貯留され、使用時に直ぐに使用可能な所謂プレフィルド型のものもあり、このようなプレフィルド型点鼻器具４００が、例えば特許文献４に開示されている。【０００７】
プレフィルド型点鼻器具４００は、使用時に直ぐに使用可能であることや、点鼻器具内への薬液４０６の充填作業が無いため、緊急時でも薬液４０６の種類や量の間違いを回避できること、また微生物汚染を回避し衛生性が高いなどの利点を有することから、医療現場での治療の効率化、細菌汚染防止の観点から近年好適に使用されている。【０００８】
また特許文献５では、図１８（ａ）に示したように、プランジャー５０４からガスケット部５０４ａだけを取り外して、シリンジバレル５０２とガスケット部５０４ａとの間に予め薬液５０６を貯留しておき、図１８（ｂ）に示したように、使用時に、ガスケット部５０４ａにプランジャー５０４のシャフト部５０４ｂを取付け、さらにシリンジバレル５０２先端側にバルブ５１２を備えたアダプタ５１４を取付けることで、使用可能となるようにしたプレフィルド型点鼻器具５００が開示されている。【０００９】
このように従来の点鼻器具またはプレフィルド型点鼻器具は、上記したような構成とすることで、鼻孔内に所定の薬液を噴霧可能としているものである。
【特許文献１】特開２００６−２７１９４０号公報
【特許文献２】特開２００１−１３７３４４号公報
【特許文献３】特開平１１−１１４０６５号公報
【特許文献４】特開平０９−２９９４８４号公報
【特許文献５】登録実用新案第３０４７５２１号公報
【発明の開示】
【発明が解決しようとする課題】
【００１０】
しかしながら、特許文献１に記載された点鼻器具１００は、シリンジバレル１０２とプランジャー１０４との間に薬液１０６を充填した途端、薬液１０６がシリンジバレル１０２先端の噴霧孔１０８から漏れ出してしまう場合もあり、またプランジャー１０４をシリンジバレル１０２の軸方向にゆっくりと移動させた場合には、薬液１０６が噴霧孔１０８からゆっくりと漏れ出してしまうため霧状にすることができず、薬液を鼻孔内へ噴霧することができない場合が生じてしまうものであった。【００１１】
また、特許文献２に記載された点鼻器具２００は、部品点数が多く、製造コストが嵩んでしまうとともに、プランジャー２０４をシリンジバレル２０２の軸方向に移動させる際に、スカートバルブ２１２に一定以上の圧力が加えられないとこのバルブが機能せず、さらに薬液２０６も噴霧孔２０８から漏れ出すだけで、薬液２０６を霧状とすることができず、鼻孔内に霧状の薬液２０６を噴霧できない場合が生ずるものであった。【００１２】
さらに、特許文献３に記載された点鼻器具３００は、一度に両鼻孔内に薬液３０６を噴霧するものであるから、片側の鼻孔だけに薬液噴霧をする場合には使用できず、用途が限られてしまうものであった。また、点鼻器具３００が大型化して携帯性が悪く、製造コストも嵩んでしまうものであった。【００１３】
さらに、特許文献４または特許文献５に記載されたプレフィルド型点鼻器具４００，５００についても、それぞれ部品点数が多く製造コストが嵩んでしまうとともに、プランジャー４０４，５０４をシリンジバレル４０２，５０２の軸方向に移動させる際に、プランジャー４０４，５０４に一定以上の圧力を加えないと、薬液４０６，５０６が霧状にはならず、鼻孔内へ噴霧することができない場合が生じてしまうものであった。【００１４】
なお、特許文献２または３に開示された点鼻器具を、プレフィルド型点鼻器具に適用することも可能ではあるが、この場合であっても、上記したような問題を解決することはできないものである。【００１５】
このように、従来の点鼻器具およびプレフィルド型点鼻器具は、上記したような問題を有するものであって、薬液の噴霧時において、点鼻器具を取り扱う取扱い者の力加減によって、薬液が確実に噴霧されるか否かが決定されてしまい、点鼻器具を取り扱う際、万人が同じようには鼻孔内に薬液を確実に噴霧することができないものであった。【００１６】
本発明はこのような現状に鑑み、点鼻器具のうち、プレフィルド型点鼻器具に着目し、このプレフィルド型点鼻器具の製造コストを抑えるとともに、万人が同じように取扱い可能であって、しかも取扱いが簡単で、確実に鼻孔内に薬液を噴霧することのできるプレフィルド型点鼻器具を提供することを目的とする。
【課題を解決するための手段】
【００１７】
本発明は、前述したような従来技術における課題および目的を達成するために発明されたものであって、
本発明のプレフィルド型点鼻器具は、
一方側に薬液の噴霧孔を備え、他方側に予め薬液を貯留する薬液貯留部を有するシリンジバレルと、
前記シリンジバレルの内周面に摺動自在に挿入され弾性を有するピストンと、
前記ピストンの後端に取付けられ、前記ピストンを前記シリンジバレルの軸方向に移動可能とするプランジャーと、
前記噴霧孔とピストンとの間に位置するよう、前記シリンジバレル内に挿入され、前記シリンジバレルの内周面を摺動自在である弾性を有するセンターストッパーと、
から構成され、
前記センターストッパーと前記ピストンとの間に、予め薬液が液密に貯留されてなるプレフィルド型点鼻器具であって、
前記シリンジバレルには、
前記一方側に形成された噴霧孔と前記センターストッパーとの間にセンターストッパー係止部を有し、前記センターストッパー係止部には前記薬液を導通可能な通路である導通部を１箇所ないし複数箇所に備えるとともに、前記シリンジバレルの他端側には、前記シリンジバレルの内周面よりも内方に突設したシリンジバレル側突設部が形成され、
前記プランジャーには、
前記プランジャーの外周面よりも外方に突設するとともに、その軸方向の略中央にプランジャー側突設部が形成され、
前記シリンジバレル側突設部と前記プランジャー側突設部とは、互いに係合するように構成され、前記プランジャーをシリンジバレルの噴霧孔方向に移動させてプランジャー側突設部が前記シリンジバレル側突設部を乗り越えて互いの係合を解除させる時には、この解除に所定圧力以上の圧力が必要となるように構成されており、
前記プランジャーに所定圧力以上の圧力を加え、前記プランジャーをシリンジバレルの噴霧孔方向に移動させて、前記プランジャー側突設部と前記シリンジバレル側突設部との係合を解除し、
この係合解除時にプランジャーに加えられる圧力によって、前記薬液がセンターストッパーを噴霧孔方向に移動させ、
さらに、前記センターストッパー係止部に形成された導通部上に、前記センターストッパーが乗り上げられ、前記導通部と前記センターストッパーとの間に薬液流入溝が形成されて、薬液貯留部と噴霧孔との間が連通し、
これにより前記薬液流入溝から薬液が噴霧孔方向に流入移動して、前記噴霧孔より噴霧可能となるように構成されていることを特徴とする。【００１８】
このように構成すれば、シリンジバレルの軸方向にプランジャーを移動させる際に、プランジャーのプランジャー側突設部を、シリンジバレルのシリンジバレル側突設部が乗り越えるようになっているため、この際に所定の圧力をシリンジバレルに加えることとなる。【００１９】
これにより、所定の圧力が確保されてセンターストッパーが導通部上に乗り上げられ、薬液貯留溝から薬液が噴霧孔側に移動して噴霧孔より噴霧できるようになるため、誰でも確実に薬液を鼻孔内に噴霧することができる。【００２０】
また、このような構成は、シリンジバレルの内周側に導通部とシリンジバレル側突設部を形成し、プランジャー外周側にプランジャー側突設部を形成するだけであるため、部品点数も少なく、従来に比べて製造コストを抑えることができる。【００２１】
また、本発明のプレフィルド型点鼻器具は、
前記センターストッパー係止部に形成された導通部が、
少なくともシリンジバレルの軸方向に移動する前記センターストッパーの軸方向厚み幅と同じ範囲かまたはセンターストッパーのシリンジバレルと接触する接触部分の幅以上の範囲に形成されていることを特徴とする。【００２２】
このような範囲に導通部を設ければ、センターストッパーが導通部に乗り上げた際に、確実に薬液流通溝が形成され、薬液を噴霧孔側へ流入移動させて鼻孔内に噴霧することができる。【００２３】
また、本発明のプレフィルド型点鼻器具は、
前記プランジャーに形成されたプランジャー側突設部が、
前記プランジャーの軸方向の１箇所ないし複数箇所に形成されていることを特徴とする。【００２４】
このように構成すれば、シリンジバレルの軸方向に移動させるプランジャーの移動距離を、プランジャー側突設部の形成箇所で調整可能であるため、薬液の噴霧量を調整可能にすることができる。このため、例えば複数回分噴霧するだけの薬液を薬液貯留部に貯留し、この回数分だけプランジャー側突設部をプランジャーの軸方向に所定間隔置きに形成すれば、複数回、シリンジバレル側突設部をプランジャー側突設部が乗り越えるようになるため、一回毎に一回分の薬液を噴霧することができる。【００２５】
また、本発明のプレフィルド型点鼻器具は、
前記プランジャーに形成されたプランジャー側突設部が、
前記プランジャーの軸方向の複数個所に形成され、
前記シリンジバレルには、
前記シリンジバレルの内周面よりも内方に突設し、プランジャー側突設部が当接することでプランジャーのシリンジバレルの軸方向への移動を停止させるプランジャーストッパーと、前記プランジャーストッパーと同一内周上にあって、前記プランジャー側突設部が挿通され得る切欠き部と、からなるプランジャーストッパー部が形成されており、
前記プランジャー側突設部と前記プランジャーストッパー部とは、
前記プランジャーをシリンジバレルの噴霧孔方向に移動させてプランジャー側突設部が前記プランジャーストッパーに当接した時に、前記プランジャーを更にシリンジバレルの噴霧方向に移動させるためには、前記プランジャーを所定の角度回転させる必要があるように構成され、これにより複数回に分けて噴霧可能に構成されていることを特徴とする。【００２６】
このように構成すれば、薬液を複数回に分けて噴霧する場合において、一回分の薬液の噴霧が終わるとプランジャー側突設部がプランジャーストッパーに当接し、プランジャーを更にシリンジバレルの噴霧方向に移動させるためにはプランジャーを所定の角度回転させる必要があるため、誤って複数回分の薬液を一回に噴霧することがなく、一回毎に一回分の薬液を確実に噴霧することができる。【００２７】
また、本発明のプレフィルド型点鼻器具は、
前記シリンジバレルの外周面の外方で、軸方向の外周略中央に突設する、フランジ状の指掛け部が、形成されていることを特徴とする。【００２８】
このように構成すれば、鼻孔内にシリンジバレルを噴霧孔側から挿入する際に、指掛け部に掛けた指が、鼻孔に当接することとなるため、鼻孔の奥に必要以上にシリンジバレルが入ってしまうことがなく、安全にプレフィルド型点鼻器具を扱って、鼻孔内に薬液を噴霧することができる。【００２９】
また、本発明のプレフィルド型点鼻器具は、
前記シリンジバレルが、一体成形されていることを特徴とする。
このようにシリンジバレルが、樹脂により一体成形されていれば、製造速度が早く、部品点数を抑えることができ、さらに寸法精度良くシリンジバレルを製造することができる。【００３０】
また、本発明のプレフィルド型点鼻器具は、
前記ピストンに取付けられるプランジャーが、
前記ピストンに対して着脱自在に構成されていることを特徴とする。【００３１】
このようにプランジャーがピストンに対して着脱自在であれば、プレフィルド型点鼻器具の使用時までプランジャーピストンに取付けなければ、ピストンをシリンジバレルの軸方向に移動させることができないので、過って薬液を噴霧してしまうことがなく、安全で確実にプレフィルド型点鼻器具を取り扱うことができる。【００３２】
また、本発明のプレフィルド型点鼻器具は、
前記シリンジバレルの材質が、環状オレフィン系樹脂であることを特徴とする。
このような材質であれば、特に透明性や耐熱性が高く、医薬品との化学的な相互作用がないため、医薬・医療用として好適に使用することができる。【００３３】
また、本発明のプレフィルド型点鼻器具は、
前記ピストンとセンターストッパーの表面に、テトラフルオロエチレンフィルムがラミネートされていることを特徴とする。【００３４】
このように構成すれば、シリンジバレル内に配置されたピストンとセンターストッパーとが、液密性と摺動性とを兼ね備えることができる。
【発明の効果】
【００３５】
本発明によれば、点鼻器具のうち、特にプレフィルド型点鼻器具において、このプレフィルド型点鼻器具を構成する部品点数を少なくするともに構造を簡素化することにより製造コストを抑えたプレフィルド型点鼻器具を提供することができる。【００３６】
また、誰もが同じように取扱い可能であって、しかも取扱いが簡単で、確実に鼻孔内に薬液を噴霧することのできるプレフィルド型点鼻器具を提供することができる。
【図面の簡単な説明】
【００３７】
【図１】図１は、本発明のプレフィルド型点鼻器具の実施例における概略断面図である。
【図２】図２は、図１に示したプレフィルド型点鼻器具のａ部の拡大図である。
【図３】図３は、図１に示したプレフィルド型点鼻器具のｂ部の拡大図である。
【図４】図４は、図１に示したプレフィルド型点鼻器具のＡ−Ａ線による断面図である。
【図５】図５（ａ）から図５（ｃ）は、本発明のプレフィルド型点鼻器具の使用手順を説明する説明図である。
【図６】図６（ａ）から図６（ｃ）は、本発明のプレフィルド型点鼻器具の使用手順を説明する説明図である。
【図７】図７（ａ）は、本発明のプレフィルド型点鼻器具の使用手順を説明する説明図である。
【図８】図８（ａ）から図８（ｃ）は、本発明のプレフィルド型点鼻器具の他の実施例における使用手順を説明する説明図である。
【図９】図９は、本発明のプレフィルド型点鼻器具１０の他の実施例における概略断面図である。
【図１０】図１０は、図９に示したプレフィルド型点鼻器具のａ部の拡大図である。
【図１１】図１１（ａ）は、図９に示したプレフィルド型点鼻器具のＢ−Ｂ線による断面図、図１１（ｂ）は、図９に示したプレフィルド型点鼻器具のＣ−Ｃ線による断面図である。
【図１２】図１２（ａ）から図１２（ｃ）は、本発明のプレフィルド型点鼻器具の他の実施例における使用手順を説明する説明図である。
【図１３】図１３（ａ）（ｂ）は、本発明のプレフィルド型点鼻器具の他の実施例における使用手順を説明する説明図である。
【図１４】図１４は、従来の点鼻器具を示した斜視図である。
【図１５】図１５は、従来の点鼻器具を示した概略断面図である。
【図１６】図１６は、従来の点鼻器具を示した分解斜視図である。
【図１７】図１７は、従来のプレフィルド型点鼻器具を示した概略断面図である。
【図１８】図１８は、従来のプレフィルド型点鼻器具であって、図１８（ａ）は分解図、図１８（ｂ）は概略断面図である。
【符号の説明】
【００３８】
１０      プレフィルド型点鼻器具
２０      シリンジバレル
２１      噴霧孔
２２      薬液貯留部
２３      センターストッパー係止部
２４      導通部
２５      シリンジバレル側突設部
２６      指掛け部
２７      薬液流入溝
２８      流路
２９      スロープ部
３０      ピストン
３２      プランジャー
３４      プランジャー側突設部
３４ａ    プランジャー側第一突設部
３４ｂ    プランジャー側第二突設部
３６      プランジャー後端部
３８      溝
４０      センターストッパー
４２      溝
４４      プランジャーストッパー
４６      切欠き部
４７      シリンジバレル側識別マーク
４８      プランジャーストッパー部
４９      プランジャー側識別マーク
５０      薬液
Ｒ１    プランジャーの外形寸法
Ｒ２    シリンジバレル側突設部の内径寸法
Ｒ３    ピストンの最外径
Ｒ４    センターストッパーの最外径寸法
Ｌ１    導通部の長さ
Ｌ２    センターストッパーの厚み方向の長さ
Ｌ３    プランジャー側突設部のプランジャー外周方向の幅
Ｌ４    切欠き部のシリンジバレル内周方向の幅
１００      点鼻器具
１０２      シリンジバレル
１０４      プランジャー
１０６      薬液
１０８      噴霧孔
２００      点鼻器具
２０２      シリンジバレル
２０４      プランジャー
２０６      薬液
２０８      噴霧孔
２１０      流通孔
２１２      スカートバルブ
２１４      アダプタ
２１６      ストッパー
３００      点鼻器具
３０２      シリンジバレル
３０６      薬液
３１４      アダプタ
３１８      噴霧ノズル
３２０      噴霧ノズル
４００      プレフィルド型点鼻器具
４０２      シリンジバレル
４０４      プランジャー
４０６      薬液
５００      プレフィルド型点鼻器具
５０２      シリンジバレル
５０４      プランジャー
５０４ａ    ガスケット部
５０４ｂ    シャフト部
５０６      薬液
５１２      バルブ
５１４      アダプタ
【発明を実施するための最良の形態】
【００３９】
以下、本発明の実施の形態（実施例）を図面に基づいてより詳細に説明する。
（実施例１）
図１は、本発明のプレフィルド型点鼻器具の実施例における概略断面図、図２は、図１に示したプレフィルド型点鼻器具のａ部の拡大図、図３は、図１に示したプレフィルド型点鼻器具のｂ部の拡大図、図４は、図１に示したプレフィルド型点鼻器具のＡ−Ａ線による断面図である。【００４０】
本発明のプレフィルド型点鼻器具は、予め薬液をシリンジバレル内に貯留して成り、プランジャーをシリンジバレルの軸方向に移動させることにより、シリンジバレル内の薬液を確実に鼻孔内に噴霧可能とするものである。【００４１】
図１に示したように、本発明におけるプレフィルド型点鼻器具１０は、一方側に薬液５０の噴霧孔２１を備え、他方側に予め薬液５０を貯留する薬液貯留部２２を有するシリンジバレル２０と、このシリンジバレル２０の内周面に摺動自在に挿入され弾性を有するピストン３０と、ピストン３０の後端に取付けられ、ピストン３０をシリンジバレル２０の軸方向に移動可能とするプランジャー３２と、シリンジバレル２０の噴霧孔２１とピストン３０との間に位置するよう、シリンジバレル２０内に挿入され、シリンジバレル２０の内周面を摺動自在である弾性を有するセンターストッパー４０と、から構成されている。なお、センターストッパー４０とピストン３０との間には、予め薬液５０が液密に貯留されている。【００４２】
本実施例では、ピストン３０とプランジャー３２とは、螺合するようになっているが、これに限定されるものではなく、例えば互いに嵌合するものであっても良く、要はピストン３０とプランジャー３２とが分離可能であって、使用時には、互いの部材が外れないような構造であれば、如何なる構造であっても良いものである。【００４３】
このようなプレフィルド型点鼻器具１０において、シリンジバレル２０は、噴霧孔２１とセンターストッパー４０との間にセンターストッパー係止部２３を有し、このセンターストッパー係止部２３に、薬液５０を導入する通路が形成されている。その通路の形態は、本実施例のようにシリンジバレル２０の内周面よりも内方に突設した複数の導通部２４であっても良いし、他のバイパス通路であっても良く、要は薬液５０の導通手段が形成されていれば良いものである。【００４４】
また、シリンジバレル２０の噴霧孔２１とは他方側の端部には、シリンジバレル２０の内周面よりも内方に突設したシリンジバレル側突設部２５が形成されている。
一方、プランジャー３２には、プランジャー３２の外周面よりも外方に突設するとともに、その軸方向の略中央にプランジャー側突設部３４が形成されている。【００４５】
このシリンジバレル側突設部２５とプランジャー側突設部３４とは、図２に示したように、プランジャー３２をシリンジバレル２０の軸方向に移動させた際に、互いに係合するように構成され、後述する使用手順により、プランジャー３２をシリンジバレル２０の噴霧孔２１方向に移動させて、プランジャー側突設部３４がシリンジバレル側突設部２５を乗り越えることで互いの係合が解除され、この時プランジャー３２を押圧する押圧力によって、薬液５０を確実に噴霧孔２１より噴霧させることができるようになっている。【００４６】
なお、プランジャー３２をシリンジバレル２０の噴霧孔２１方向に移動させて、プランジャー側突設部３４がシリンジバレル側突設部２５を乗り越えて互いの係合を解除する時には、この解除に所定圧力以上の圧力が必要となるように設定されている。【００４７】
なお、プランジャー３２の外形寸法Ｒ１については、シリンジバレル側突設部２５の内径寸法Ｒ２と略同寸法とすれば、プランジャー３２をシリンジバレル２０の軸方向に移動させる際に、シリンジバレル側突設部２５とプランジャー３２の外表面とが、僅かに触れるようになってガイドとしての役割をなし、真っ直ぐにプランジャー３２をシリンジバレル２０の軸方向に移動させることができ好ましい。【００４８】
また、シリンジバレル２０の導通部２４は、図３または図４に示したように、センターストッパー係止部２３に、シリンジバレル２０の軸方向に沿って、所定間隔おきに複数周設されている。このような導通部２４は、図４に示したように断面略半円形状であって、２つの導通部２４の間が後述する薬液流入溝２７となるように形成されている。【００４９】
本実施例においては、この導通部２４は、合計４箇所に形成されているため、２ヶ所に薬液流入溝２７が形成されるようになっているが、数や断面形状についてはこれに限定されるものではなく、適宜設置箇所や形状を選択可能なものであり、突起状、溝状や拡径タイプの導通部２４が例示される。しかしながら、導通部２４の断面形状については、後述するが導通部２４にセンターストッパー４０が摺動して乗り上げられることとなるため、曲線からなる断面形状であることが好ましい。【００５０】
さらに、導通部２４の形成範囲としては、プレフィルド型点鼻器具１０の使用の際に、センターストッパー４０がこの導通部２４上に乗り上げることで、薬液５０の薬液流入溝２７を形成するようになっているため、導通部２４の長さＬ１は、センターストッパー４０の厚み方向の長さＬ２と同等であるか、センターストッパーのシリンジバレルと接触する接触部分の幅以上とすることが好ましい。【００５１】
なお、導通部２４の薬液貯留部２２側の端部には、スロープ部２９が形成され、これにより、センターストッパー４０移動の際に、スムーズに導通部２４上にセンターストッパー４０が乗り上げられるようになっている。【００５２】
ピストン３０の最外径寸法Ｒ３やセンターストッパー４０の最外径寸法Ｒ４については、シリンジバレル２０内の薬液５０を液密な状態に維持することが可能であるとともに、シリンジバレル内での移動も可能であり、液密性と摺動性を兼ね揃えることができるように設定することが好ましい。【００５３】
また、シリンジバレル２０の外周面であって、軸方向の外周略中央には、フランジ状の指掛け部２６が形成されている。この指掛け部２６は、プランジャー３２を移動させるときに指を掛けて力を加えるための箇所であるとともに、鼻孔内に噴霧孔２１側からプレフィルド型点鼻器具１０を挿入した際、鼻孔の最も奥までプレフィルド型点鼻器具１０が挿入されて、鼻孔壁を傷つけてしまうことが無いようストッパーとしての役目をなすものでもある。【００５４】
このようなプレフィルド型点鼻器具１０は、プランジャー３２をシリンジバレル２０の噴霧孔２１側の軸方向に移動させて、プランジャー側突設部３４がシリンジバレル側突設部２５を乗り越えて互いの係合を解除させるため、シリンジバレル２０の指掛け部２６に指を掛けた状態で、プランジャー３２のプランジャー後端部３６をシリンジバレル２０の噴霧孔２１側に向かって押圧すると、プランジャー側突設部３４がシリンジバレル側突設部２５を乗り越えて互いの係合が解除され、さらにこの押圧力によって、薬液５０がセンターストッパー４０を噴霧孔２１方向に移動させることとなる。【００５５】
続けて、センターストッパー係止部２３に形成された導通部２４上に、センターストッパー４０が乗り上げられ、導通部２４とセンターストッパー４０との間に薬液流入溝２７が形成されて、薬液貯留部２２と噴霧孔２１との間が連通するようになっている。【００５６】
なお、本実施例では、図４に示したように、２つの薬液流入溝２７が形成されており、この薬液流入溝２７には噴霧孔２１と連通する流路２８が形成されているため、導通部２４上に、センターストッパー４０が乗り上げられると、薬液５０は、薬液流入溝２７、流路２８を通って噴霧孔２１へと連通するようになっている。そして薬液５０は、噴霧孔２１より噴霧されるように構成されている。【００５７】
つまり、プランジャー３２のプランジャー後端部３６を、シリンジバレル２０の噴霧孔２１側に向かって押圧して、プランジャー側突設部３４がシリンジバレル側突設部２５を乗り越えて互いの係合を解除する際、所定の圧力以上の圧力が必要であり、このときにプランジャー３２に掛けられる押圧力で、センターストッパー４０を導通部２４上に乗り上げさせ、噴霧孔２１より薬液５０が噴霧されるようになっているため、噴霧圧が足らずに鼻孔内に薬液５０が噴霧されないといった不具合が生ずることがなく、誰でも常に確実に薬液５０を鼻孔内に噴霧可能とすることができる。【００５８】
なお、シリンジバレル２０の一方側の端部に設けられた噴霧孔２１の孔径については、薬液５０の噴霧量やプランジャー３２の押圧力などにより、適宜決定すれば良いものであるが、噴霧孔２１を下方に向けた際、薬液５０が漏れ出さないよう表面張力が作用する程度の大きさに設定することが好ましい。【００５９】
また、このようなプレフィルド型点鼻器具１０に用いられるピストン３０は、シリンジバレル２０内での液密性と摺動性とを兼ね備える必要があり、その材料として、従来から使用されている例えば下記に示したようなゴム材料を使用することが好ましい。【００６０】
ゴム材料としては、例えばブチルゴム、塩素化ブチルゴム、臭素化ブチルゴム、ジビニルベンゼン共重合ブチルゴムなどのブチル系ゴム、ポリイソプレンゴム（高〜低シス１，４結合）、ポリブタジエンゴム（高〜低シス１，４結合）、スチレン−ブタジエン共重合ゴムなどの共役ジエン系ゴム、エチレン−プロピレン−ジエン三元共重合ゴム（ＥＰＤＭ）、スチレン−エチレン−ブタジエン共重合体（ＳＥＢＳ）、スチレン−ブタジエン−スチレンのブロック共重合体（ＳＢＳ）、スチレン−イソプレンブロック共重合体（ＳＩＳ）、スチレン−イソブチレンブロック共重合体（ＳＩＢＳ）などの熱可塑性エラストマー等を挙げることができる。【００６１】
なお、熱可塑性エラストマーは厳密にはゴム材料とは別の種類の材質であるが、本願発明の分野では、同じように用いられているため、本明細書中でいうゴム材料には熱可塑性エラストマーも含まれるものとする。【００６２】
また、ピストン３０は、必要に応じて上記のゴム材料と架橋剤、充填剤および／または補強剤、着色剤、老化防止剤などの配合剤を混練して得られる架橋性ゴム組成物（コンパウンド）を用い、圧縮成形や射出成形など従来公知の成形方法を用いることによって製造される。【００６３】
使用する配合剤は、従来から医薬品用及び医療具用のゴム栓やピストンの製造に使用されているものがいずれも使用でき、特に制限されない。
なお、このようなピストン３０は、その表面をラミネートフィルムでラミネートしていることが好ましく、ピストン３０は全体をラミネートしたものや、薬液５０と接触する面のみ部分的にラミネートしたものとすることができ、使用環境に応じて適宜選択することが好ましい。【００６４】
このようなラミネートフィルムとしては、公知のものが使用可能であり特に限定されるものではないが、例えばフッ素系樹脂、ポリプロピレン、超高分子量ポリエチレン、超高分子量ポリエチレン、テトラフルオロエチレンを用いることができる。【００６５】
また、プレフィルド型点鼻器具１０に用いられるセンターストッパー４０についても、上記したピストン３０と同様、液密性と摺動性とを兼ね備える必要があり、その表面をラミネートフィルムでラミネートしていることが好ましく、その材質やラミネートフィルムについてもピストン３０と同様のものを用いることができる。【００６６】
さらに、このようなピストン３０およびセンターストッパー４０は、図３に示したようにシリンジバレル２０内周面と接する部位に、シリンジバレル２０内周面との接触面積を減らすための溝３８，４２を形成しておくことが好ましい。なおこの溝３８，４２は、材質の好ましい選択と同様に、シリンジバレル２０内での薬液５０の液密性を維持しつつ、ピストン３０およびセンターストッパー４０の摺動性を確保するためのものであって、これらの機能が兼ね揃えられるよう、溝３８，４２の形成具合を調整することが好ましい。【００６７】
本実施例においては、シリンジバレル２０の軸方向に向かって平行に溝３８，４２が形成されているが、この形状に限定されるものではなく、要はシリンジバレル２０内周面との接触面積を減らすことが可能であるとともに、液密性と摺動性を兼ね揃えることができれば、如何なる形状であっても良いものである。【００６８】
また、シリンジバレル２０の材質としては、用途に適したプラスチックを用いることが好ましく、例えば環状オレフィン系樹脂、環状オレフィン−エチレン共重合体、ポリエチレンテレフタレート系樹脂、ポリスチレン樹脂、ポリエチレンテレフタレート樹脂等が挙げられる。中でも特に透明性や耐熱性が高く、医薬品との化学的な相互作用のない環状オレフィン系樹脂、環状オレフィン−エチレン共重合体（例えば特許第２９１４８２６号公報に記載の衛生用容器に用いられているもの）を使用することが好ましい。【００６９】
また、プランジャー３２については医薬医療用途に用いることが可能であれば拘らないが、シリンジバレル２０の材質と同様のものを用いることも可能である。
上記したように、プレフィルド型点鼻器具１０のシリンジバレル２０やプランジャー３２を樹脂製とすれば、例えば、樹脂成形で一体的に成形がすることで、部品点数を少なくし、製造コストを抑えることができる。また、本発明のプレフィルド型点鼻器具の容量としては、大容量のものも作成可能であるが、用途から０．１〜１．０ｍｌのものが好適である。【００７０】
次いで、本発明のプレフィルド型点鼻器具１０の使用手順について説明する。
まず、図５（ａ）に示したように、シリンジバレル２０に、導通部２４の手前までセンターストッパー４０を挿入し、さらにシリンジバレル２０内に、所定量の薬液５０を充填し、次いでピストン３０を挿入して、センターストッパー４０とピストン３０との間に薬液５０が液密に密閉された状態のものを用意する。本実施例においては、プレフィルド型点鼻器具１０の使用前において、この図５（ａ）に示した状態のものを予め製造しておき、使用時において、後述する工程に従って使用するようになっている。【００７１】
次いで、図５（ｂ）に示したように、ピストン３０の後端に、プランジャー３２を挿入し、ピストン３０とプランジャー３２とを螺合させて、図５（ｃ）に示したように一体と成るようにする。【００７２】
なお、このように、使用前においてプランジャー３２をピストン３０と外した状態としておけば、間違ってプランジャー後端部３６を押圧してしまうおそれがなく、保管が容易であるため好ましい。【００７３】
さらに、図６（ａ）に示したように、さらにプランジャー３２を押圧すると、プランジャー側突設部３４がシリンジバレル側突設部２５に当接し、あわせてセンターストッパー４０が導通部２４のスロープ部２９にかかる位置まで移動する。【００７４】
さらに、図６（ｂ）に示したように、この状態で、プランジャー側突設部３４がシリンジバレル側突設部２５を乗り越えるだけの圧力をプランジャー後端部３６に加え、プランジャー側突設部３４がシリンジバレル側突設部２５を乗り越え、さらにピストン３０によって押圧された薬液５０がセンターストッパー４０を押圧して、導通部２４上にセンターストッパー４０が全て乗り上げられた状態とする。【００７５】
次いで、図６（ｃ）に示したように、さらにプランジャー後端部３６を押圧すると、薬液５０が、導通部２４とセンターストッパー４０との間に形成された薬液流入溝２７を通って流路２８に入り、さらに薬液５０が噴霧孔２１より外方に噴霧されるようになる。【００７６】
そして、図７（ａ）に示したように、プランジャー後端部３６を押圧して、薬液５０を全て噴霧孔２１より外方に噴霧し終えると、本プレフィルド型点鼻器具１０の使用が完了されることとなる。【００７７】
なお、上述したプレフィルド型点鼻器具１０の使用手順については、図５（ｃ）から図７（ａ）に至るまでの工程は、実際には瞬時に行われるものであって、要は図６（ａ）で示したようにプランジャー側突設部３４がシリンジバレル側突設部２５を乗り越える際の所定以上の押圧力で、その後の薬液５０の鼻孔内への噴霧までの工程を行うものである。【００７８】
そして、このプランジャー側突設部３４がシリンジバレル側突設部２５を乗り越える際の所定以上の押圧力により、噴霧孔２１より薬液５０が確実に霧状となって噴霧されるようになっている。
（実施例２）
次いで、本発明のプレフィルド型点鼻器具１０の他の実施例について、図８（ａ）から図８（ｃ）に示した説明図を用いて説明する。【００７９】
図８（ａ）から図８（ｃ）に示したプレフィルド型点鼻器具１０は、基本的には、図１から図７に示した実施例のプレフィルド型点鼻器具１０と同じ構成であるので、同じ構成部材には、同じ参照番号を付してその詳細な説明を省略する。【００８０】
本実施例のプレフィルド型点鼻器具１０は、プランジャー３２に複数のプランジャー側突設部３４が形成されている点で、上記実施例と異なるものである。
このようなプレフィルド型点鼻器具１０は、図８（ａ）に示したように、シリンジバレル側突設部２５をプランジャー側第一突設部３４ａが乗り越えると、その時のプランジャー３２に掛けられる押圧力でピストン３０が薬液５０を押圧し、さらに薬液５０がセンターストッパー４０を導通部２４上に乗り上げるようにし、薬液流入溝２７より流路２８に薬液５０を流入させて、薬液５０は噴霧孔２１より外方に噴霧されるようになる。【００８１】
そして、図８（ｂ）に示したように、プランジャー３２のプランジャー側第二突設部３４ｂがシリンジバレル側突設部２５に当接すると、ここでプランジャー３２のシリンジバレル２０の軸方向への移動が停止されることとなり、薬液噴霧が停止されるようになる。【００８２】
次いで、図８（ｃ）に示したように、再度、プランジャー後端部３６を押圧して、今度はプランジャー側第二突設部３４ｂがシリンジバレル側突設部２５を乗り越えるだけの圧力をプランジャー３２に加えることで、上記した工程と同じように、残った薬液５０が噴霧孔２１より噴霧されるようになっている。【００８３】
このように、プランジャー３２に複数のプランジャー側突設部３４を形成し、これにあわせて複数回の噴霧が可能な量の薬液５０をシリンジバレル２０内に充填すれば、複数回の噴霧を可能とすることができる。【００８４】
このため、例えば、右の鼻孔と左の鼻孔というように２回に分けて噴霧する場合や、外出先で複数回点鼻が必要な場合であっても、本実施例のプレフィルド型点鼻器具１０であれば、１個で複数回の薬液噴霧が可能であるため、複数のプレフィルド型点鼻器具１０を所持する必要がなく、携帯性を向上させることができる。【００８５】
なお、本実施例では、２回の噴霧が可能となるように、プランジャー側突設部３４を２箇所設けた場合を例にして説明したが、これに限定されるものではなく、噴霧回数にあわせてプランジャー側突設部３４の数を増やすことも可能であり、適宜選択することができるものである。
（実施例３）
次いで、本発明のプレフィルド型点鼻器具１０の他の実施例について、図９から図１３（ｂ）に示した説明図を用いて説明する。【００８６】
図９は、本発明のプレフィルド型点鼻器具１０の他の実施例における概略断面図、図１０は、図９に示したプレフィルド型点鼻器具のａ部の拡大図、図１１（ａ）は、図９に示したプレフィルド型点鼻器具のＢ−Ｂ線による断面図、図１１（ｂ）は、図９に示したプレフィルド型点鼻器具のＣ−Ｃ線による断面図、図１２（ａ）から図１２（ｃ）及び図１３（ａ）（ｂ）は、本発明のプレフィルド型点鼻器具の使用手順を説明する説明図である。【００８７】
なお、図９から図１３（ｂ）に示したプレフィルド型点鼻器具１０は、基本的には、図１から図７に示した実施例のプレフィルド型点鼻器具１０と同じ構成であるので、同じ構成部材には、同じ参照番号を付してその詳細な説明を省略する。【００８８】
本実施例のプレフィルド型点鼻器具１０は、プランジャー３２に複数のプランジャー側突設部３４が形成されているとともに、シリンジバレル２０にはプランジャーストッパー部４８が形成され、これにより複数回に分けて噴霧可能に構成されている点、すなわち、プランジャー３２をシリンジバレル２０の噴霧方向に移動させるためには、プランジャー３２を所定の角度回転させる必要があるようにプランジャー側突設部３４とプランジャーストッパー部４８とが構成されている点が、上記実施例と異なるものである。【００８９】
図９、図１０に示したように、本実施例のプレフィルド型点鼻器具１０には、プランジャー３２の軸方向にプランジャー側第一突設部３４ｃとプランジャー側第二突設部３４ｄの２つのプランジャー側突設部が形成されている。この内、プランジャー側第一突設部３４ｃは、図１１（ｂ）に示すように、プランジャー３２の同一外周上の各々対向する２箇所に形成されている。【００９０】
プランジャーストッパー部４８は、図１１（ａ）に示すように、シリンジバレル２０の内周面よりも内方に突設したプランジャーストッパー４４と、プランジャーストッパー４４と同一内周上にある切欠き部４６とから構成されている。【００９１】
本実施例では、プランジャーストッパー４４は、プランジャー側第一突設部３４ｃが当接することでプランジャー３２のシリンジバレル２０の軸方向への移動を停止させるように、プランジャー側第一突設部３４ｃの位置に対応して、シリンジバレル２０の内周の各々対向する２箇所に形成されている。【００９２】
また、切欠き部４６は、プランジャー側第一突設部３４ｃが挿通され得るように、プランジャー側第一突設部３４ｃの位置に対応して、シリンジバレル２０の内周の各々対向する２箇所に形成されている。【００９３】
なお、プランジャーストッパー４４及び切欠き部４６の位置及び数は、プランジャー側第一突設部３４ｃが当接することでプランジャー３２のシリンジバレル２０の軸方向への移動を停止させるように、及びプランジャー側第一突設部３４ｃが切欠き部４６に挿通され得るように、プランジャー側第一突設部３４ｃの位置及び数に対応したものであればよく、使用用途に応じて適宜変更することができるものである。【００９４】
プランジャー側第一突設部３４ｃのプランジャー外周方向の幅Ｌ３は、プランジャー側第一突設部３４ｃが切欠き部４６に挿通され得るように、切欠き部４６のシリンジバレル内周方向の幅Ｌ４よりも短く構成されており、本実施例では、プランジャー外周長の約１/４となっている。【００９５】
また、プランジャー側第一突設部３４ｃとプランジャー側第二突設部３４ｄとの間の距離Ｌ５と、シリンジバレル側突設部２５とプランジャーストッパー部４８との間の距離Ｌ６は、特に限定されないが、後述するように、プランジャー側第一突設部３４ｃがプランジャーストッパー部４８のストッパー４４に当接すると同時に、プランジャー側第二突設部３４ｄがシリンジバレル側突設部２５に当接するように、本実施例のように、Ｌ５とＬ６とを略同寸法に形成するのが好ましい。
このようなプレフィルド型点鼻器具１０は、図１２（ａ）に示すように、プランジャー側第一突設部３４ｃがシリンジバレル側突設部に当接している状態において、プランジャー後端部３６を押圧し、プランジャー側第一突設部３４ｃがシリンジバレル側突設部２５を乗り越えると、その時のプランジャー３２に掛けられる押圧力でピストン３０が薬液５０を押圧し、さらに薬液５０がセンターストッパー４０を導通部２４上に乗り上げるようにし、薬液流入溝２７より流路２８に薬液５０を流入させて、薬液５０は噴霧孔２１より外方に噴霧されるようになる（図１２（ｂ）の状態）。【００９６】
そして、図１２（ｃ）に示したように、プランジャー側第一突設部３４ｃがプランジャーストッパー部４８のプランジャーストッパー４４に当接すると同時に、プランジャー側第二突設部３４ｄがシリンジバレル側突設部２５に当接し、ここでプランジャー３２のシリンジバレル２０の軸方向への移動が停止されることとなり、薬液噴霧が停止されるようになる。【００９７】
この際、プランジャーストッパー４４は、プランジャー３２のシリンジバレル２０の軸方向への移動を停止させるように、プランジャーストッパー４４に当接したプランジャー側第一突設部３４ｃが容易に乗りこえることが出来ないように形成されており、プランジャー３２を更にシリンジバレル２０の噴霧孔方向に移動させるためには、プランジャー３２を所定の角度αだけ回転する必要がある。本実施例では、図１１（ｂ）に示すように、９０°回転させる。【００９８】
すなわち、図１１（ｂ）の状態において、プランジャー３２を９０°回転させることにより、プランジャー側第一突設部３４ｃが、図１１（ａ）の切欠き部４６と同様に、図中３時及び９時方向に向いて配置される。すると、プランジャー側第一突設部３４ｃのプランジャー外周方向の幅Ｌ３は、切欠き部４６のシリンジバレル内周方向の幅Ｌ４よりも短く構成されているため、プランジャー側第一突設部３４ｃを切欠き部４６に挿通可能な状態に配置することができる（図１３（ａ）の状態）。【００９９】
なお、本実施例では、プランジャー３２を所定の角度だけ回転させる際の目印として、シリンジバレル２０にはシリンジバレル側識別マーク４７が、プランジャー３２にはプランジャー側識別マーク４９が、夫々形成されており、プランジャー３２を所定の角度だけ、確実に回転することが可能となっている。【０１００】
次いで、図１３（ｂ）に示したように、再度、プランジャー後端部３６を押圧して、今度はプランジャー側第二突設部３４ｂがシリンジバレル側突設部２５を乗り越えるだけの圧力をプランジャー３２に加えることで、上記した工程と同じように、残った薬液５０が噴霧孔２１より噴霧されるようになっている。【０１０１】
このように、本実施例では、プランジャー３２をシリンジバレル２０の噴霧孔方向に移動させてプランジャー側第一突設部３４ｃがプランジャーストッパー４４に当接した時に、プランジャー３２を更にシリンジバレル２０の噴霧方向に移動させるためには、プランジャー３２を所定の角度αだけ回転させる必要があるように、プランジャー側第一突設部３４ｃとプランジャーストッパー部４８とが構成されているため、薬液を複数回に分けて噴霧する場合において、誤って複数回分の薬液を一回に噴霧することがなく、一回毎に一回分の薬液を確実に噴霧することが可能となる。【０１０２】
なお、本実施例では、実施例２と同様に、２回の噴霧が可能となるように、プランジャー側突設部３４を２箇所設けた場合を例にして説明したが、これに限定されるものではなく、噴霧回数にあわせてプランジャー側突設部３４の数を増やすことも可能であり、適宜選択することができるものである。【０１０３】
以上、本発明の好ましい形態について説明したが、本発明は上記の形態に限定されるものではなく、例えば本実施例のプレフィルド型点鼻器具１０では、シリンジバレル側突設部２５をシリンジバレル２０の端部に設けているが、この位置についても限定されるものではなく、要はプランジャー側突設部３４がシリンジバレル側突設部２５を乗り越えるように成っていれば、シリンジバレル２０内周面のいずれの位置にあっても、またどのような形状であっても良いものである。【０１０４】
また、本実施例のセンターストッパー４０は、シリンジバレル２０の軸方向に対する上面と下面の形状が真っ直ぐ平面状となっているが、これについても限定されるものではなく、例えばこの上面と下面とが外方に膨らんだ形状であっても良いものである。このような形状の場合には、導通部２４を、センターストッパー４０が導通部２４上に全て乗り上げ、薬液５０が噴霧孔２１側へ流入可能となる位置まで形成するようにすれば良い。【０１０５】
以上のように本発明のプレフィルド型点鼻器具は、本発明の目的を逸脱しない範囲での種々の変更が可能なものである。
【図１】
2009057572.tif 000003
【図２】
2009057572.tif 000004
【図３】
2009057572.tif 000005
【図４】
2009057572.tif 000006
【図５】
2009057572.tif 000007
【図６】
2009057572.tif 000008
【図７】
2009057572.tif 000009
【図８】
2009057572.tif 000010
【図９】
2009057572.tif 000011
【図１０】
2009057572.tif 000012
【図１１】
2009057572.tif 000013
【図１２】
2009057572.tif 000014
【図１３】
2009057572.tif 000015
【図１４】
2009057572.tif 000016
【図１５】
2009057572.tif 000017
【図１６】
2009057572.tif 000018
【図１７】
2009057572.tif 000019
【図１８】
2009057572.tif 000020
【国際調査報告】
2009057572.tif 000021
2009057572.tif 000022
2009057572.tif 000023
2009057572.tif 000024